(57)【要約】【課題】主管及び副管を備える管楽器において、副管を構成する二つの管部が相互に不意に動くことを抑制でき、かつ、二つの管部の相対的な位置を容易に微調整することができるようにする。【解決手段】主管３と、主管３から分岐して延びて形成され、主管３に固定された固定管部１５及び固定管部１５に対して軸方向に移動可能に連結された可動管部１６を有する副管４と、可動管部１６をねじの回転によって固定管部１５に対して移動させるねじ調整部５と、を備える管楽器を提供する。【選択図】図２
2017156722.tif 000002
【特許請求の範囲】
【請求項１】
主管と、
前記主管から分岐して延びて形成され、前記主管に固定された固定管部及び前記固定管部に対して軸方向に移動可能に連結された可動管部を有する副管と、を備え、
前記可動管部をねじの回転によって前記固定管部に対して移動させるねじ調整部と、を備える管楽器。
【請求項２】
前記ねじ調整部が、前記固定管部及び前記可動管部のうち一方の管部の内周に形成された雌ねじと、前記固定管部及び前記可動管部のうち他方の管部の外周に形成されて前記雌ねじに噛み合う雄ねじと、を備える請求項１に記載の管楽器。
【請求項３】
前記一方の管部が、管部本体と、前記雌ねじを有すると共に管部本体に対して軸線周りに回転可能に設けられたねじ付き管部と、を備える請求項２に記載の管楽器。
【請求項４】
前記固定管部及び前記可動管部を相互に固定する固定部を備える請求項１から請求項３のいずれか一項に記載の管楽器。
【請求項５】
前記固定管部及び前記可動管部が、互いに着脱可能である請求項１から請求項４のいずれか一項に記載の管楽器。
【発明の詳細な説明】
【技術分野】
【０００１】
本発明は、管楽器に関する。
【背景技術】
【０００２】
従来、例えば特許文献１のように、主管から分岐して延びる副管を有する管楽器がある。特許文献１には、主管に固定された固定管部（固定部）と、固定管部の内側に差し込まれ、固定管部に対してその軸方向に移動可能な可動管部（スライド管）と、を備える副管が開示されている。この副管を備える管楽器では、可動管部を固定管部に対して移動させることで、副管の長さが変化する。これによって、管楽器の音高や音色を変化させることができる。
【先行技術文献】
【特許文献】
【０００３】
【特許文献１】特開２０１１―１８６４４５号公報
【発明の概要】
【発明が解決しようとする課題】
【０００４】
しかしながら、従来の管楽器では、可動管部が固定管部に対して不意に動く場合があり、管楽器の音高や音色が不意にずれてしまう可能性がある。また、固定管部に対する可動管部の位置を微調整することが難しい、という問題がある。
【０００５】
本発明は、上述した事情に鑑みてなされたものであって、可動管部が固定管部に対して不意に動くことを抑制でき、かつ、可動管部の微調整を容易に行うことが可能な管楽器を提供することを目的とする。
【課題を解決するための手段】
【０００６】
本発明は、主管と、前記主管から分岐して延びて形成され、前記主管に固定された固定管部及び前記固定管部に対して軸方向に移動可能に連結された可動管部を有する副管と、を備え、前記可動管部をねじの回転によって前記固定管部に対して移動させるねじ調整部と、を備える管楽器を提供する。
【発明の効果】
【０００７】
本発明によれば、ねじ調整部によって、可動管部が固定管部に対して不意に動くことを抑制できると共に、固定管部に対する可動管部の位置を容易に微調整することができる。
【図面の簡単な説明】
【０００８】
【図１】本発明の第一実施形態に係る管楽器を示す正面図である。
【図２】図１のII−II矢視断面図である。
【図３】図２の副管の要部を示す拡大断面図である。
【図４】本発明の第二実施形態に係る管楽器の要部を示す断面図である。
【図５】本発明の第三実施形態に係る管楽器の要部を示す断面図である。
【図６】本発明の他の実施形態に係る管楽器の要部を示す断面図である。
【発明を実施するための形態】
【０００９】
〔第一実施形態〕
以下、図１〜３を参照して本発明の第一実施形態について説明する。
図１，２に示すように、本実施形態の管楽器１は、管体２を備える。管体２は、例えば木材材料、金属材料、樹脂材料のいずれか一つの材料によって形成されてもよいし、例えばこれらの材料を適宜組み合わせた材料によって形成されてもよい。
管体２は、主管３と、主管３から分岐して延びる副管４と、を備える。
【００１０】
主管３は、内径寸法が一定の円筒状に形成されている。主管３には、複数の音孔１１が形成されている。複数の音孔１１は、主管３の軸方向に間隔をあけて配列されている。複数の音孔１１は、例えば全て演奏者の手指で直接開閉されてもよい。本実施形態では、一部の音孔１１が演奏者の手指で直接開閉され、残りの音孔１１が鍵機構８（キーシステム）を利用して開閉される。すなわち、本実施形態の管楽器１は、鍵機構８も備える。
【００１１】
主管３の軸方向の第一端には、マウスピース６が設けられている。マウスピース６は、例えば管体２に一体に形成されてもよいが、本実施形態では、管体２に対して着脱可能に装着される。マウスピース６は、図示例のように薄板状のリード６Ａを一枚備えるシングルリードであってもよいが、例えばエアリード、リップリード、ダブルリードであってよい。主管３の軸方向の第二端は、外側に開口している。主管３の第二端には、例えばベルが設けられてもよい。
図２において、主管３は、複数回曲がっていることで蛇行しているが、例えば直線状に延びてもよい。
【００１２】
副管４は、内径寸法が概ね一定の円筒状に形成されている。副管４は、主管３のうちマウスピース６側の端部に接続されている。副管４が主管３から延びる方向は、任意であってよい。本実施形態において、副管４は、その長手方向の途中部分において曲がっている。曲がっている部分よりも主管３から離れて位置する副管４の部位は、主管３の軸線に沿うように延びている。
【００１３】
図２，３に示すように、副管４は、固定管部１５と、可動管部１６と、を備える。
固定管部１５は、主管３に固定されている。固定管部１５は、例えば主管３に対して着脱自在に取り付けられてもよいが、本実施形態では主管３に一体に形成されている。固定管部１５の軸線は、少なくとも固定管部１５のうち外側に開口する開口端部１７において直線状に延びていればよい。すなわち、固定管部１５の開口端部１７を除く固定管部１５の部位は、図２に例示するように曲がっていてもよい。
【００１４】
可動管部１６は、固定管部１５に対して軸方向に移動可能に連結されている。具体的に、可動管部１６は、固定管部１５に対して開口端部１７における固定管部１５の軸方向に移動可能である。可動管部１６を固定管部１５に対して軸方向に移動させることで、副管４の長さが変化する。
可動管部１６の軸線は、少なくとも固定管部１５との連結部分において直線状に延びていればよい。本実施形態では、可動管部１６全体が直線状に延びているが、固定管部１５との連結部分を除く可動管部１６の部位は、例えば曲がっていてもよい。
【００１５】
本実施形態において、固定管部１５との連結部分における可動管部１６の外径寸法は、固定管部１５の開口端部１７の内径寸法と同等、又は、内径寸法よりも微小に小さく設定されている。これにより、可動管部１６は、固定管部１５の開口端部１７の内側に挿入されている。また、可動管部１６が固定管部１５に挿入された状態では、可動管部１６の外周と固定管部１５の内周との隙間を無くす、又は、隙間を微小とすることができる。
【００１６】
本実施形態の可動管部１６は、フランジ部１８を有する。フランジ部１８は、可動管部１６の他の部位（固定管部１５に挿入可能な部位）の外周から突出して形成されている。フランジ部１８は、可動管部１６のうち軸方向において固定管部１５の開口端部１７から離れた位置に配されている。フランジ部１８は、可動管部１６全体が固定管部１５の内側に入り込むことを防ぐ。また、フランジ部１８は、可動管部１６を移動させる際に、管楽器１の演奏者等が手指で摘む部分として機能する。
【００１７】
管楽器１は、上記した可動管部１６をねじの回転によって固定管部１５に対して移動させるねじ調整部５を備える。本実施形態のねじ調整部５は、固定管部１５及び可動管部１６に設けられている。ねじ調整部５は、固定管部１５の開口端部１７の内周に形成された雌ねじ２１と、可動管部１６の外周に形成されて固定管部１５の雌ねじ２１に噛み合う雄ねじ２２と、を備える。
【００１８】
以上のように構成される本実施形態の管楽器１によれば、ねじ調整部５によって可動管部１６が固定管部１５に対して不意に動くことを抑制できる。具体的には、ねじ調整部５の雄ねじ２２と雌ねじ２１とが噛み合っていることで、可動管部１６が回転せずに固定管部１５に対して軸方向に移動することを防止できる。これにより、管楽器１の音高や音色が不意にずれることを抑制できる。
また、本実施形態の管楽器１によれば、雄ねじ２２と雌ねじ２１との相対的な回転量に対し、固定管部１５に対する可動管部１６の軸方向への移動長さを小さく設定できるため、固定管部１５と可動管部１６との相対的な位置を容易に微調整することができる。これにより、管楽器１の音高や音色を高い精度で調整することが可能となる。
【００１９】
また、本実施形態の管楽器１によれば、ねじ調整部５が固定管部１５及び可動管部１６に設けられている。このため、管楽器１をコンパクトに構成することができる。また、管楽器１の構成部品点数を少なくすることもできる。また、可動管部１６を固定管部１５に対して回転させればよいため、副管４の長さ調整を簡単に行うことができる。
【００２０】
また、本実施形態の管楽器１によれば、副管４を構成する固定管部１５及び可動管部１６が互いに着脱可能である。このため、例えば同一の固定管部１５に対し、長さの異なる可動管部１６に交換することができる。これにより、可動管部１６を固定管部１５に対して移動させる場合と比較して、副管４の長さをより大きく変化させることができる。その結果、管楽器の音高や音色をより大きく変化させることが可能となる。
【００２１】
〔第二実施形態〕
次に、図４を参照して本発明の第二実施形態について説明する。本実施形態の管楽器は、第一実施形態の管楽器１と比較して、副管及びねじ調整部の一部構成のみが異なり、他の構成については同様である。本実施形態では、第一実施形態と同様の構成要素について同一符号を付す等して、その説明を省略する。
【００２２】
図４に示すように、本実施形態の副管４Ｂは、第一実施形態と同様の固定管部１５Ｂ及び可動管部１６を備える。
本実施形態の可動管部１６の構成は、第一実施形態と同様である。例えば、可動管部１６の外周には、ねじ調整部５Ｂの雄ねじ２２が形成されている。一方、本実施形態の固定管部１５Ｂは、管部本体３１Ｂと、ねじ付き管部３２Ｂとを備える。
【００２３】
管部本体３１Ｂは、開口端部１７Ｂの一部を除く固定管部１５Ｂ全体を構成している。すなわち、管部本体３１Ｂは主管３（図２参照）から延びて形成されている。固定管部１５Ｂの開口端部１７Ｂの残部をなす管部本体３１Ｂの先端部には、ねじ調整部５Ｂの雌ねじ２１Ｂが形成されていない。管部本体３１Ｂの先端部の内径寸法は、フランジ部１８を除く可動管部１６の外径寸法と同等、又は、外径寸法よりも微小に大きく設定されている。このため、管部本体３１Ｂの先端部の内側には、第一実施形態と同様に可動管部１６を挿入することができる。
【００２４】
ねじ付き管部３２Ｂは、ねじ調整部５Ｂの雌ねじ２１Ｂを有し、管部本体３１Ｂに対してその軸線周りに回転可能に設けられている。
具体的に説明すれば、ねじ付き管部３２Ｂは、固定管部１５Ｂの開口端部１７Ｂの一部を構成している。ねじ付き管部３２Ｂは、管部本体３１Ｂの先端部に配されている。ねじ付き管部３２Ｂは、管部本体３１Ｂに対するねじ付き管部３２Ｂの軸方向の位置が保持されるように、管部本体３１Ｂに対して回転可能とされている。ねじ調整部５Ｂの雌ねじ２１Ｂは、ねじ付き管部３２Ｂのうち軸方向において管部本体３１Ｂの先端部に連なる部位の内周に形成されている。
【００２５】
本実施形態の管楽器１Ｂによれば、第一実施形態と同様の効果を奏する。
また、本実施形態の管楽器１Ｂでは、ねじ付き管部３２Ｂを回転させることで、可動管部１６が固定管部１５Ｂに対して軸方向に移動する。このため、可動管部１６を管部本体３１Ｂに対して回転させることなく、軸方向に移動させることができる。
固定管部１５Ｂとの連結部分を除く可動管部１６の部位が曲がっている部分を含む場合には、可動管部１６の曲がっている部分の向きを変えることなく、可動管部１６を軸方向に移動させることができる。
【００２６】
上記した第二実施形態の管楽器１Ｂにおいて、可動管部１６がねじ付き管部３２Ｂと共に固定管部１５Ｂに対して回転することを防ぐためには、例えば、ねじ付き管部３２Ｂを回転させる際に、可動管部１６を手指で把持すればよい。
また、第二実施形態の管楽器１Ｂは、例えば、固定管部１５Ｂに対する可動管部１６の回転を規制する回転規制部を備えてもよい。回転規制部は、任意の構成であってよいが、例えば、固定管部１５Ｂの内周及び可動管部１６Ｂの外周の一方において軸方向に延びる溝と、固定管部１５Ｂの内周及び可動管部１６Ｂの外周の他方に形成されて溝内に挿入される突起と、によって構成されてもよい。この場合には、可動管部１６を手指で把持しなくても、可動管部１６がねじ付き管部３２Ｂと共に固定管部１５Ｂに対して回転することを防止できる。
【００２７】
〔第三実施形態〕
次に、図５を参照して本発明の第三実施形態について説明する。本実施形態の管楽器は、第一実施形態の管楽器１と比較して、一部構成を追加しているだけであり、他の構成については同様である。本実施形態では、第一実施形態と同様の構成要素について同一符号を付す等して、その説明を省略する。
【００２８】
図５に示すように、本実施形態の管楽器１Ｃは、第一実施形態と同様の副管４Ｃ及びねじ調整部５を備える。さらに、本実施形態の管楽器１Ｃは、副管４Ｃを構成する固定管部１５及び可動管部１６を相互に固定する固定部９Ｃを備える。
本実施形態の固定部９Ｃは、リング状に形成され、可動管部１６の雄ねじ２２に噛み合う雌ねじ４１Ｃを有するナット等の雌ねじ部品である。固定部９Ｃは、固定管部１５の開口端部１７の外側に配される。
【００２９】
本実施形態の管楽器１Ｃにおいて、固定管部１５及び可動管部１６を相互に固定する際には、固定部９Ｃを可動管部１６に対して回転させて、固定管部１５の開口端部１７に押し付ければよい。この状態では、固定管部１５の雌ねじ２１が可動管部１６の雄ねじ２２を押す方向と、固定部９Ｃの雌ねじ４１Ｃが可動管部１６の雄ねじ２２を押す方向とが、固定管部１５及び可動管部１６の軸方向において互いに逆向きとなる。これにより、可動管部１６が固定管部１５に対して固定される。
可動管部１６を固定管部１５に対して移動させる際には、固定部９Ｃを固定管部１５の開口端部１７から離れた位置に配した状態で、可動管部１６を固定管部１５に対して回転させればよい。
【００３０】
本実施形態の管楽器１Ｃによれば、第一実施形態と同様の効果を奏する。
また、本実施形態の管楽器１Ｃによれば、固定部９Ｃを備えるため、可動管部１６が固定管部１５に対して不意に動くことを確実に防止できる。
本実施形態の固定部９Ｃは、第二実施形態の管楽器１Ｂにも適用可能である。
【００３１】
以上、本発明について詳細に説明したが、本発明は上記実施形態に限定されるものではなく、本発明の趣旨を逸脱しない範囲において種々の変更を加えることが可能である。
【００３２】
本発明の管楽器において、固定管部及び可動管部を相互に固定する固定部は、例えば、固定管部に取り付けられ、固定管部の内周のうち可動管部が挿入される部分に出没可能な固定用ねじであってもよい。この構成では、固定用ねじを固定管部の内周から突出させて可動管部に押し付けることで、可動管部を固定管部に対して固定することができる。
【００３３】
本発明の管楽器において、副管には、例えば軸方向における固定管部と可動管部との相対的な位置を示す目盛りが形成されてもよい。目盛りは、例えば固定管部の開口端や、可動管部の外周面に形成されてよい。この場合には、目盛りによって、固定管部の開口端と可動管部との相対的な位置を把握できる。すなわち、軸方向における固定管部と可動管部との相対的な位置を把握することができる。
【００３４】
また、本発明の管楽器においては、例えば、可動管部の外周に、係止部が設けられ、可動管部が挿入される固定管部の内周に、軸方向に間隔をあけて配列され、係止部に係止する複数の被係止部が設けられてもよい。ここで、係止部及び被係止部の一方は凸部であり、他方は凸部が挿入される凹部である。また、係止部及び各被係止部は、可動管部を固定管部に対して移動させようとする所定以上の力が可動管部に作用した際に、係止部と各被係止部との係止状態が解除されるように形成される。
副管が上記した係止部及び被係止部を有する場合には、演奏者が目で確認しなくても、軸方向における固定管部と可動管部との相対的な位置を容易に把握することが可能となる。また、係止部と被係止部とが係止した状態において、可動管部が固定管部に対して相互に不意に動くことを効果的に抑制できる。
【００３５】
本発明の管楽器においては、例えば固定管部の開口端部が可動管部の内側に挿入されてもよい。この場合、ねじ調整部は、可動管部の内周に形成された雌ねじと、固定管部の開口端部の外周に形成されて可動管部の雌ねじに噛み合う雄ねじと、を備えればよい。
【００３６】
本発明の管楽器において、ねじ調整部は、例えば副管を構成する固定管部、可動管部と別個に設けられてもよい。例えば図６に示すように、ねじ調整部５Ｄは、雄ねじを有して一方の管部（図示例では可動管部１６Ｄ）に接続されたねじ棒５１と、ねじ棒５１の雄ねじに噛み合う雌ねじを有し、他方の管部（図示例では固定管部１５Ｄ）に接続された雌ねじ部品５２と、によって構成されてもよい。ねじ棒５１は、固定管部１５Ｄ、可動管部１６Ｄの軸方向に平行するように固定管部１５Ｄ、可動管部１６Ｄの外側に配されればよい。このように構成されるねじ調整部５Ｄでは、雌ねじ部品５２に噛み合うねじ棒５１を回転させ、ねじ棒５１及び雌ねじ部品５２をねじ棒５１の軸方向に相対的に移動させることで可動管部１６Ｄを固定管部１５Ｄに対してこれらの軸方向に移動させることができる。
上記した構成のねじ調整部５Ｄを備える管楽器１Ｄは、例えば固定管部１５Ｄ及び可動管部１６Ｄを相互に固定する固定部を備えてもよい。この場合、固定部は、例えば第三実施形態と同様にねじ棒５１に噛み合う別の雌ねじ部品（固定部９Ｃ）であってもよいし、例えば前述した固定用ねじであってもよい。
【符号の説明】
【００３７】
１，１Ｂ，１Ｃ…管楽器、３…主管、４，４Ｂ，４Ｃ…副管、５，５Ｂ，５Ｄ…ねじ調整部、９Ｃ…固定部、１５，１５Ｂ，１５Ｄ…固定管部、１６，１６Ｄ…可動管部、２１…雌ねじ、２２…雄ねじ、３１Ｂ…管部本体、３２Ｂ…ねじ付き管部、５１…ねじ棒、５２…雌ねじ部品
【図１】
2017156722.tif 000003
【図２】
2017156722.tif 000004
【図３】
2017156722.tif 000005
【図４】
2017156722.tif 000006
【図５】
2017156722.tif 000007
【図６】
2017156722.tif 000008